(57)【要約】      （修正有）【課題】製造を手作業で行うことを可能とする環状のラッピングリボンを提供する。【解決手段】ラッピングリボンは、蝶結びに結び合わされる両端部１２ａ、１２ｂを有するリボン片１２と、バンド１４とを備える。バンド１４は、帯状片１８と、帯状片１８上に配置され帯状片１８を横切る２つの部分を有する輪ゴム２０と、帯状片１８上に配置され帯状片１８の長手方向へ伸びる両面テープ片とを有する。両面テープはその両片面のうちの一方の片面において帯状片１８及び輪ゴム２０の２つの部分に接着されている。バンド１４は、リボン片１２上に配置されかつリボン片１２に両面テープ片の両片面のうちの他の一方の片面において接着されている。【選択図】図４
0003216379.tif 000002
【実用新案登録請求の範囲】
【請求項１】
蝶結びに結び合わされる両端部を有するリボン片と、バンドとを備え、
前記接続用バンドは、帯状片と、該帯状片上に配置され前記帯状片を横切る２つの部分を有する輪ゴムと、前記帯状片上に配置され該帯状片の長手方向へ伸びる両面テープ片であってその両片面のうちの一方の片面において前記帯状片及び前記輪ゴムの２つの部分に接着された両面テープ片とを備え、
前記バンドは、該リボン片上に配置されかつ前記リボン片に前記両面テープ片の両片面のうちの他の一方の片面において接着されている、ラッピングリボン。
【請求項２】
前記輪ゴムは前記帯状片の長手方向へ引き伸ばされた状態におかれている、請求項１に記載のラッピングリボン。
【請求項３】
前記バンドの帯状片及び両面テープ片は、前記リボン片の幅寸法以下の幅寸法を有する、請求項１又は２に記載のラッピングリボン。
【請求項４】
蝶結びに結び合わされる両端部を有するリボン片に適用されラッピングリボンを形成するバンドであって、
帯状片と、
前記帯状片上に配置され前記帯状片を横切る２つの部分を有する輪ゴムと、前記帯状片上に配置され該帯状片の長手方向へ伸びる両面テープ片であってその両片面のうちの一方の片面において前記帯状片及び前記輪ゴムの２つの部分に接着された両面テープ片とを備え、
前記バンドは、前記ラッピングリボンの形成のために前記リボン片上に配置されかつ前記リボン片に前記両面テープ片の両片面のうちの他の一方の片面において接着される、バンド。
【考案の詳細な説明】
【技術分野】
【０００１】
本考案は、ラッピングリボン及びバンドに関する。
【背景技術】
【０００２】
従来、商品又はその包装（商品等）を装飾するためにこれに掛けられる環状のラッピングリボンが提案されている。このラッピングリボンは、リボン片と該リボン片の両端部に取り付けられた伸縮性を有する接続片とからなる。環状のラップリボンは、これを商品等に掛けたとき、接続片の伸縮により、商品等の形状により適合しあるいはよりフィットする。
【０００３】
ところで、環状のラッピングリボンの製造に際し、前記リボン片に対する接続片の取り付けは、通常、工場において機械的手段を用いて行われる。しかし、これを工場以外の場所、例えば商品を販売する店舗において手作業で行うことができれば、必要に応じて、また、商品等の大きさにより適合するラッピングリボンを準備することができる。
【先行技術文献】
【特許文献】
【０００４】
【特許文献１】特開２００３−３４２８６１号公報
【考案の概要】
【考案が解決しようとする課題】
【０００５】
本考案の目的は、環状のラッピングリボンの製造を手作業で行うことを可能とすることにある。
【課題を解決するための手段】
【０００６】
本考案に係るラッピングリボンは、蝶結びに結び合わされる両端部を有するリボン片と、バンドとを備える。前記バンドは、帯状片と、該該帯状片上に配置され前記帯状片を横切る２つの部分を有する輪ゴムと、前記帯状片上に配置され該帯状片の長手方向へ伸びる両面テープ片であってその両片面のうちの一方の片面において前記帯状片及び前記輪ゴムの２つの部分に接着された両面テープ片とを備える。前記バンドは、前記リボン片上に配置されかつ前記リボン片に前記両面テープ片の両片面のうちの他の一方の片面において接着されている。
【０００７】
本考案によれば、前記リボン片の両端部を蝶結びに結び合わせ、また、前記リボン片と前記バンドの輪ゴムを除いた帯状片及び両面テープ片とをこれらの横断方向に切断することにより、前記リボン片と前記輪ゴムとが環状に伸びるラッピングリボンを得ることができる。前記リボン片の両端部を蝶結びに結び合わせること、及び、前記リボン片と前記バンドの帯状片及び両面テープ片との切断はいずれも手作業により行うことが可能である。
【０００８】
このことから、例えば商品を販売する店舗において、商品又はその包装（商品等）の大きさを考慮した長さを有する環状のラッピングリボンを容易にまた迅速に準備することができる。また、前記環状のラッピングリボンの使用に際し、前記バンドの輪ゴムの伸縮性を利用して、前記商品等の形状により適合するようにあるいはフィットするように、また、外れにくいように前記商品等に掛けることが可能である。
【０００９】
前記輪ゴムはその２つの部分間において引張状態におかれているものとすることができる。これによれば、切断によって前記リボン片に新たに生じた２つの端部が前記輪ゴムの弾性復帰力を受けて互いに引っ張られる。その結果、前記リボン片の新たな両端部がこれらの相互間隔を狭められあるいは互いに重なり合う状態におかれる。これにより、前記環状のラッピングリボンを前記商品等に掛けたときに伸長状態におかれる前記輪ゴムの表出の程度をより少なくし、前記環状のラッピングリボンの見映えをより良くすることができる。
【００１０】
前記バンドの帯状片及び両面テープ片は、好ましくは、前記リボン片の幅寸法以下の幅寸法を有する。これによれば、前記リボン片上からの前記バンドのはみ出しを少なくし、前記環状のラッピングの見栄えをより一層良好なものとすることができる。
【００１１】
本考案は、また、蝶結びに結び合わされる両端部を有するリボン片に適用されラッピングリボンを形成するバンドに係る。前記バンドは、帯状片と、該帯状片上に配置され前記帯状片を横切る２つの部分を有する輪ゴムと、前記帯状片上に配置され該帯状片の長手方向へ伸びる両面テープ片であってその両片面のうちの一方の片面において前記帯状片及び前記輪ゴムの２つの部分に接着された両面テープ片とを備える。前記バンドは、前記ラッピングリボンの形成のために前記リボン片上に配置されかつ前記リボン片に前記両面テープ片の両片面のうちの他の一方の片面において接着される。
【図面の簡単な説明】
【００１２】
【図１】環状の形態にされたラッピングリボンの斜視図である。
【図２】商品等に掛けられた環状のラッピングリボンの表側から見た斜視図である。
【図３】商品等に掛けられた環状のラッピングリボンの裏側から見た斜視図である。
【図４】リボン片上に配置されかつ接着されたバンドの平面図である。
【図５】切断後のリボン片とバンドの一部との平面図である。
【図６】バンドの表面図である。
【図７】バンドの裏面図である。
【図８】リボン片と、他の例に係るバンドの輪ゴムを除く一部との切断後の平面図である。
【考案を実施するための形態】
【００１３】
図１を参照すると、環状の形態にされたラッピングリボンが全体に符号１０で示されている。環状の形態にされたラッピングリボン１０は、図２及び図３に示すように、商品又はその包装（商品等）Ｐの装飾のために商品等Ｐに掛けられる。
【００１４】
環状の形態にされる前のラッピングリボン１０は、図４に示すように、全体に直線状に伸びるリボン片１２と、該リボン片上に配置されたバンド１４とを備える。ラッピングリボン１０は、後述するように、その使用に先立ち、リボン片１２とバンド１４の一部とが切断される（図５参照）。
【００１５】
リボン片１２は両端部１２ａ、１２ｂを有し、バンド１４はリボン片１２の両端部１２ａ、１２ｂ間に位置する。リボン片１２の両端部１２ａ、１２ｂは、ラッピングリボン１０が環状の形態にされるとき、蝶結び１６（図１参照）に結び合わされる。バンド１４は、好ましくは、環状の形態にされたときのラッピングリボン１０の見栄えを損なわないようにラッピングリボン１０の内側の周面上に配置される（図１及び図３参照）。
【００１６】
ラッピングリボン１０の製造に供されるリボン片１２は、ナイロン繊維、ポリエステル繊維のような合成繊維製の織物、アセテートのような化学繊維製の織物、天然繊維製の織物、ポリプロピレン製やビニル製のテープ等からなる。
【００１７】
バンド１４は、図６及び図７に示すように、帯状片１８と、輪ゴム２０と、両面テープ片２２とを備える。
【００１８】
図示の帯状片１８は、好ましくはリボン片１２と同様のリボン片からなり、また、好ましくはリボン片１２の幅寸法以下の幅寸法を有する。また、帯状片１８は、ラッピングリボン１０の装飾性を考慮して、例えばリボン片１２が有する色彩、模様等と同じ色彩、模様等を有するものが選択される。
【００１９】
輪ゴム２０は帯状片１８上に配置され帯状片１８を横切る２つの部分２０ａ、２０ｂを有する。図示の輪ゴム２０は２ｍｍの太さ及び２５ｍｍの直径を有する。但し、輪ゴム２０は、ラッピングリボン１０の装飾性を考慮して、その太さ、直径等を選定することができる。
【００２０】
また、両面テープ片２２は帯状片１８上に配置すなわち輪ゴム２０の上から帯状片１８上に重ねられ、帯状片１８の長手方向へ伸びている。図示の両面テープ片２２は帯状片１８と同じ長さ寸法を有する。また、両面テープ片２２は、好ましくは帯状片１８の幅寸法以下の幅寸法を有する。バンド１４の帯状片１８及び両面テープ片２２の幅寸法をリボン片１２の幅寸法以下とするときは、リボン片１２上からのバンド１４のはみ出しを少なくし、環状の形態にされたラッピングリボン１０の見栄えを良好なものとすることができる。
【００２１】
帯状片１８上に重ね合わされた両面テープ片２２は、その両片面すなわち接着剤が塗布された両片面のうちの一方の片面（図示せず）において帯状片１８と輪ゴム２０の２つの部分２０ａ、２０ｂとに接着されている。これによれば、輪ゴム２０の両部分２０ａ、２０ｂが帯状片１８と両面テープ片２２との間にあって帯状片１８に固定され、輪ゴム２０の両部分２０ａ、２０ｂ間の他の部分が伸縮可能な状態におかれている。好ましくは、両面テープ片２２の両片面のうちの他の一方の片面２２ａはこれに接着された剥離紙片（図示せず）により保護される。前記剥離紙はバンド１４の使用に際し、両面テープ片２２の他の一方の片面２２ａから剥離される。
【００２２】
バンド１４は両面テープ片２２の一方の片面２２ａにおいてリボン片１２に接着される。
【００２３】
接着後、リボン片１２と、該リボン片に接着されたバンド１４の帯状片１８と両面テープ片２２とを、これらの横断方向へ切断する。図１及び図５に切断線を符号Ａで示す。切断は、好ましくは接続用バンド１４の長さの半分の箇所において行う。その結果、リボン片１２の両切断端が接続用バンド１４の輪ゴム２０を介して相互に接続された状態におかれる。また、前記切断に先立ち又はその後に、リボン片１２の両端部１２ａ、１２ｂを蝶結び１６に結び合わせる。これにより、ラッピングリボン１０が環状の形態にされる。
【００２４】
環状の形態のラッピングリボン１０を得るために行うリボン片１２の両端部１２ａ、１２ｂの蝶結びと、バンド１４の前記接着及び輪ゴム２０を残しての前記切断とは共に手作業で行うことが可能である。このことから、例えば商品を販売する店舗において、前記商品等の大きさを考慮した長さを有する環状のラッピングリボン１０を容易にまた迅速に準備することができる。さらに、環状のラッピングリボン１０の使用に際し、接続用バンド１４の輪ゴム２０の伸縮性を利用して、前記商品等の形状により適合するようにあるいはフィットするように、また、外れにくいように前記商品等に掛けることが可能である。
【００２５】
バンド１４においてその輪ゴム２０はその２つの部分２０ａ、２０ｂ間において引張状態におかれたものとすることができる。これによれば、リボン片１２の両端部１２ａ、１２ｂへの接続用バンド１４の接着後に接続用バンド１４の帯状片１８及び両面テープ片２２を切断したとき、リボン片１２の両端部１２ａ、１２ｂが輪ゴム２０の弾性復帰力を受けて互いに引っ張られる。その結果、図８に示すように、リボン片１２の両端部１２ａ、１２ｂがこれらの相互間隔を狭められあるいは互いに重なり合う状態におかれる。これにより、環状の形態のラッピングリボン１０を前記商品等に掛けたときに伸長状態におかれる輪ゴム２０の表出の程度をより少なくし、環状のラッピングリボン１０の見映えをより良くすることができる。
【符号の説明】
【００２６】
１０  ラッピングリボン
１２  リボン片
１２ａ、１２ｂ  リボン片の両端部
１４  バンド
１８  帯状片
２０  輪ゴム
２０ａ、２０ｂ  輪ゴムの一部分
２２  両面テープ片
【図１】
0003216379.tif 000003
【図２】
0003216379.tif 000004
【図３】
0003216379.tif 000005
【図４】
0003216379.tif 000006
【図５】
0003216379.tif 000007
【図６】
0003216379.tif 000008
【図７】
0003216379.tif 000009
【図８】
0003216379.tif 000010